(57)【要約】【課題】簡素な構成で精度よく遊技球を突くこと。【解決手段】打球位置に遊技球を保持する球保持部材（球保持部１３Ａ）と、打球位置２０に保持されている遊技球Ｗを突く杵部材１８であって、遊技球Ｗを突く球突き部１８Ａと球突き部１８Ａから張り出すフランジ部１８Ｂとを有する杵部材１８と、杵部材１８を駆動するソレノイド１７と、球保持部材（球保持部１３Ａ）に遊技球Ｗを送る球送り部材（側壁部１３Ｂ、上壁部１３Ｃ、ストッパー１３Ｆ）であって、移動可能に設けられている球送り部材と、を備え、球突き部１８Ａによって遊技球Ｗが突かれた後にフランジ部１８Ｂが球送り部材に直接的又は間接的に当接し、球送り部材が移動して球保持部材（球保持部１３Ａ）に次の遊技球Ｗが送られる、遊技球発射装置。【選択図】図７
2017029354.tif 000002
【特許請求の範囲】
【請求項１】
打球位置に遊技球を保持する球保持部材と、
前記打球位置に保持されている遊技球を突く杵部材であって、遊技球を突く球突き部と前記球突き部から張り出すフランジ部とを有する杵部材と、
前記杵部材を駆動するソレノイドと、
前記球保持部材に遊技球を送る球送り部材であって、移動可能に設けられている球送り部材と、
を備え、
前記球突き部によって遊技球が突かれた後に前記フランジ部が前記球送り部材に直接的又は間接的に当接し、前記球送り部材が移動して前記球保持部材に次の遊技球が送られる、遊技球発射装置。
【請求項２】
前記球保持部材と前記球送り部材とは一体に設けられており、
前記球保持部材は回動可能に設けられており、
前記フランジ部が前記球送り部材に直接的又は間接的に当接すると前記球保持部材が前記打球位置に遊技球を保持する保持位置から球突き方向に回動し、前記球保持部材が回動した状態で前記球送り部材によって前記球保持部材に次の遊技球が送られ、前記球保持部材が自身の重さと遊技球の重さとによって前記保持位置に復帰する、請求項１に記載の遊技球発射装置。
【請求項３】
前記球保持部材が前記保持位置から所定角度回動したときに前記球保持部材に直接的又は間接的に当接してそれ以上の回動を規制する規制部を備える、請求項２に記載の遊技球発射装置。
【請求項４】
前記杵部材が遊技球を突く時点で前記ソレノイドへの通電が停止される、請求項１乃至請求項３のいずれか一項に記載の遊技球発射装置。
【請求項５】
前記球送り部材には次の遊技球が前記保持部材に送られることを規制するストッパーが設けられており、前記球送り部材が移動すると前記ストッパーによる規制が解除されて前記球保持部材に次の遊技球が送られる、請求項１乃至請求項４のいずれか一項に記載の遊技球発射装置。
【請求項６】
前記球送り部材には遊技球の直径より僅かに広い間隔で一対の側壁部が設けられており、次の遊技球が前記一対の側壁部にガイドされて前記球保持部材に送られる、請求項１乃至請求項５のいずれか一項に記載の遊技球発射装置。
【請求項７】
遊技機に組み込まれる遊技球発射ユニットであって、
打球位置に遊技球を保持する球保持部材と、
前記打球位置に保持されている遊技球を突く杵部材であって、遊技球を突く球突き部と前記球突き部から張り出すフランジ部とを有する杵部材と、
前記杵部材を駆動するソレノイドと、
前記球保持部材に遊技球を送る球送り部材であって、移動可能に設けられている球送り部材と、
を一体に備え、
前記球突き部によって遊技球が突かれた後に前記フランジ部が前記球送り部材に直接的又は間接的に当接し、前記球送り部材が移動して前記球保持部材に次の遊技球が送られる、遊技球発射ユニット。
【発明の詳細な説明】
【技術分野】
【０００１】
遊技球発射装置、及び、遊技球発射ユニットに関する。
【背景技術】
【０００２】
従来、パチンコ機に取り付けられる遊技球発射装置において、打球位置にある遊技球を突く球突き用のソレノイドと、打球位置に次の遊技球を供給する球供給用のソレノイドとを別々に備えるものが知られている。しかしながら、球突き用のソレノイドと球供給用のソレノイドとを別々に備えると遊技球発射装置の構成が複雑になり、遊技球発射装置の小型化や低コスト化の妨げとなっていた。
【０００３】
これに対し、一つのソレノイドで球突きと遊技球の供給との両方を行う遊技球発射装置も知られている（例えば、特許文献１参照）。特許文献１に記載の遊技球発射装置は、球発射ガイド、球発射ガイド上のパチンコ球を突く発射槌、発射槌を駆動するソレノイド、回動可能な二つのアームなどを備えており、ソレノイドによって発射槌を駆動すると発射槌が一つ目のアームに当接して当該一つ目のアームが回動し、回動した一つ目のアームによって２つ目のアームが回動して次のパチンコ球が球発射ガイド上に押し上げられる。
【先行技術文献】
【特許文献】
【０００４】
【特許文献１】特開平４−９９５７７号公報
【発明の概要】
【発明が解決しようとする課題】
【０００５】
しかしながら、上述した特許文献１に記載の遊技球発射装置は、パチンコ球を突く前に発射槌が一つ目のアームに当接するように構成されている。パチンコ球を突く前に発射槌が一つ目のアームに当接するとパチンコ球を突く動作に影響してしまい、一定の精度でパチンコ球を突くことができない虞がある。
【０００６】
本明細書では、精度よく遊技球を突くことのできる技術を開示する。
【課題を解決するための手段】
【０００７】
本明細書で開示する遊技球発射装置は、打球位置に遊技球を保持する球保持部材と、前記打球位置に保持されている遊技球を突く杵部材であって、遊技球を突く球突き部と前記球突き部から張り出すフランジ部とを有する杵部材と、前記杵部材を駆動するソレノイドと、前記球保持部材に遊技球を送る球送り部材であって、移動可能に設けられている球送り部材と、を備え、前記球突き部によって遊技球が突かれた後に前記フランジ部が前記球送り部材に直接的又は間接的に当接し、前記球送り部材が移動して前記球保持部材に次の遊技球が送られる。
【０００８】
上記の遊技球発射装置によると、フランジ部が球送り部材に直接的又は間接的に当接するのは球突き動作（打球位置にある遊技球を突く動作）が行われた後であるので、球送り動作（次の遊技球を球保持部材に送る動作）が球突き動作に影響してしまうことを抑制できる。
よって上記の遊技球発射装置によると、精度よく遊技球を突くことができる。
【０００９】
また、前記球送り部材は前記球保持部材に一体に設けられており、前記球保持部材は回動可能に設けられており、前記フランジ部が前記球送り部材に直接的又は間接的に当接すると前記球保持部材が前記打球位置に遊技球を保持する保持位置から球突き方向に回動し、前記球保持部材が回動した状態で前記球送り部材によって前記球保持部材に次の遊技球が送られ、前記球保持部材が自身の重さと遊技球の重さとによって前記保持位置に復帰してもよい。
【００１０】
上記の遊技球発射装置によると、球送り部材が球保持部材に一体に設けられているので、球保持部材と球送り部材とが独立している場合に比べて部品点数を少なくすることができる。これにより遊技球発射装置の構成を簡素にすることができる。
ところで、通常、遊技球発射装置は遊技球を発射する時間間隔が決まっているので、回動した球保持部材が早く保持位置に復帰しないと次の遊技球の発射に間に合わない虞がある。上記の遊技球発射装置によると、球保持部材が回動した状態で次の遊技球が球保持部材に送られるので、球保持部材自身の重さと遊技球の重さとによって球保持部材を素早く元の位置に復帰させることができる。
【００１１】
また、前記球保持部材が前記保持位置から所定角度回動したときに前記球保持部材に直接的又は間接的に当接してそれ以上の回動を規制する規制部を備えてもよい。
【００１２】
球保持部材が回動する角度が大きいと保持位置への復帰が遅れて次の遊技球の発射に間に合わなかったり、回動する角度が大きいことで衝撃が大きくなって摩耗や破損したりする虞がある。上記の遊技球発射装置によると、規制部によって球保持部材の回動を規制するので、そのような問題が生じることを抑制できる。
【００１３】
また、前記杵部材が遊技球を突く時点で前記ソレノイドへの通電が停止されてもよい。
【００１４】
上記の遊技球発射装置によると、杵部材は遊技球を突く時点で杵部材の移動速度が最高速となり、その後は慣性力によって移動する。このため速度が低下した状態でフランジ部が球送り部材に直接的又は間接的に当接する。これによりフランジ部が当接するときの衝撃が和らぎ、杵部材が繰り返し当接することによる杵部材の摩耗や杵部材が当接する部材の破損などを遅らせることができる。
【００１５】
また、前記球送り部材には次の遊技球が前記保持部材に送られることを規制するストッパーが設けられており、前記球送り部材が移動すると前記ストッパーによる規制が解除されて前記球保持部材に次の遊技球が送られてもよい。
【００１６】
上記の遊技球発射装置によると、球送り部材を移動させることにより、球保持部材に次の遊技球を送ることができる。
【００１７】
また、前記球送り部材には遊技球の直径より僅かに広い間隔で一対の側壁部が設けられており、次の遊技球が前記一対の側壁部にガイドされて前記球保持部材に送られてもよい。
【００１８】
上記の遊技球発射装置によると、一対の側壁部によって次の遊技球をガイドすることにより、次の遊技球を横ずれすることなく確実に球保持部材に送ることができる。
【００１９】
また、本明細書で開示する遊技球発射ユニットは、遊技機に組み込まれる遊技球発射ユニットであって、打球位置に遊技球を保持する球保持部材と、前記打球位置に保持されている遊技球を突く杵部材であって、遊技球を突く球突き部と前記球突き部から張り出すフランジ部とを有する杵部材と、前記杵部材を駆動するソレノイドと、前記球保持部材に遊技球を送る球送り部材であって、移動可能に設けられている球送り部材と、を一体に備え、前記球突き部によって遊技球が突かれた後に前記フランジ部が前記球送り部材に直接的又は間接的に当接し、前記球送り部材が移動して前記球保持部材に次の遊技球が送られる。
【００２０】
上記の遊技球発射ユニットによると、精度よく遊技球を突くことができる。
【発明の効果】
【００２１】
本明細書で開示する遊技球発射装置及び遊技球発射ユニットによれば、精度よく遊技球を突くことができる。
【図面の簡単な説明】
【００２２】
【図１】実施形態に係る遊技球発射装置の斜視図
【図２】流路部材を取り外した状態の遊技球発射装置の正面図であって、球保持部材が保持位置にある状態の遊技球発射装置の正面図
【図３】流路部材及び球保持部材を取り外した状態の遊技球発射装置の斜視図
【図４】球保持部材及び球送り部材の斜視図
【図５】杵部材の断面図
【図６】杵部材の球突き部が遊技球に当接した状態の遊技球発射装置の正面図
【図７】杵部材のフランジ部が球保持部材に当接した状態の遊技球発射装置の正面図
【図８】球保持部材が移動した状態の遊技球発射装置の正面図
【発明を実施するための形態】
【００２３】
＜実施形態＞
実施形態に係る遊技球発射装置１を図１ないし図８に基づいて説明する。なお、図２、図３、及び、図６〜図８では図１に示す流路部材１２を取り外した状態の遊技球発射装置１を示している。また、図３では更に図１に示すストップレバー１３も取り外した状態の遊技球発射装置１を示している。
【００２４】
以降の説明において上下方向、及び、左右方向とは図２に示す上下方向、及び、左右方向のことをいう。また、前側とは図２において紙面垂直方向手前側のことをいい、後側とは紙面垂直方向奥側のことをいう。
【００２５】
（１）遊技球発射装置の構成
図１又は図２に示すように、遊技球発射装置１はパチンコ機に取り付けられるベース板１１、流路部材１２（図１参照）、ストップレバー１３、ストップレバー１３を回動可能に保持するレバー保持部１４、発射レール１６、ソレノイド１７、杵部材１８（図２参照）などを一体に備えている。遊技球発射装置１は遊技球発射ユニットの一例である。なお、遊技球発射装置１は必ずしもこれらが一体に設けられていなくてもよい。
【００２６】
先ず、図１を参照して、流路部材１２について説明する。流路部材１２は遊技球Ｗが流れる流路（樋）を構成するものである。流路部材１２の左側にはパチンコ機の上皿が接続され、上皿から供給された遊技球Ｗが流路部材１２を介してストップレバー１３に供給される。
【００２７】
次に、図３を参照して、レバー保持部１４について説明する。レバー保持部１４はベース板１１の板面に平行な板状の取り付け部１４Ａ、取り付け部１４Ａから水平方向に張り出している底壁部１４Ｂ、底壁部１４Ｂの右側縁部から上方に延びており、後側が取り付け部１４Ａと一体化している側壁部１４Ｃ、底壁部１４Ｂや側壁部１４Ｃを補強する複数のリブ１４Ｄなどを有している。
【００２８】
底壁部１４Ｂの上面は左側に向かって下に傾斜する斜面になっている。また、底壁部１４Ｂは左端が取り付け部１４Ａよりも左側まで延びており、取り付け部１４Ａよりも左側まで延びている部分の前側の角部が略矩形に切り欠かれている。側壁部１４Ｃの上端面にはストップレバー１３を回動可能に軸支するためのヒンジ部１４Ｅが前後方向の両側に離間して二つ設けられている。
【００２９】
次に、図２及び図４を参照して、ストップレバー１３について説明する。図２に示すように、ストップレバー１３は打球位置２０に遊技球Ｗを保持するものである。図４に示すように、ストップレバー１３は遊技球Ｗを保持する球保持部１３Ａ、前後両側に設けられている一対の側壁部１３Ｂ、上壁部１３Ｃ、ストッパー１３Ｆなどを備えている。球保持部１３Ａは球保持部材の一例である。また、一対の側壁部１３Ｂ、上壁部１３Ｃ、及び、ストッパー１３Ｆは球送り部材の一例である。
【００３０】
球保持部１３Ａは板状の部材であり、左側に向かって下に傾斜する姿勢で設けられている。球保持部１３Ａは左端が側壁部１３Ｂよりも左側まで延びており、左端面から右側に向かってＵ字状に凹む凹部１３Ｄが形成されている。凹部１３Ｄの内面は上に向かって広がるテーパ状に形成されており、遊技球Ｗを保持する玉受け部を形成している。
【００３１】
一対の側壁部１３Ｂは互いに平行に設けられている。これら一対の側壁部１３Ｂの間隔は遊技球Ｗの直径より僅かに大きく設定されており、これら一対の側壁部１３Ｂの間を遊技球Ｗが移動することにより、次の遊技球Ｗをストップレバー１３に送るときに遊技球Ｗが横ずれすることを防止できる。
また、図２に示すように、一対の側壁部１３Ｂのうち前側の側壁部１３Ｂは、次の遊技球Ｗの更に次の遊技球Ｗである次々球Ｗが底壁部１４Ｂ上に移動することを規制する次々球ストッパーとしての機能も有している。以降の説明では前側の側壁部１３Ｂのことを次々球ストッパー１３Ｂという。
【００３２】
図４に示すように、上壁部１３Ｃは側壁部１３Ｂの上に設けられており、側壁部１３Ｂより右側まで水平に延びている。上壁部１３Ｃの右側を向く端面には中央部に円筒状の軸受部１３Ｅが設けられている。
【００３３】
ストッパー１３Ｆは球保持部１３Ａと伴に移動して次の遊技球Ｗを球保持部１３Ａに送るためのものである。具体的には、ストッパー１３Ｆは板状の部材であり、板面が左右方向に対して垂直となる姿勢で上壁部１３Ｃの下面の左側から下に向かって延びている。ストッパー１３Ｆの前後方向の両側は一対の側壁部１３Ｂと一体化している。
【００３４】
図２に示すように、ストップレバー１３は軸受部１３Ｅ（図４参照）とレバー保持部１４のヒンジ部１４Ｅ（図３参照）とにヒンジピン１４Ｆ（図３参照）が挿通されることによってレバー保持部１４に回動可能に軸支されている。
ストップレバー１３には自重によって左回りに回動しようとする力が作用しており、ストップレバー１３は一対の側壁部１３Ｂがレバー保持部１４の取り付け部１４Ａとレバー保持部１４の底壁部１４Ｂの切り欠かれた角部とにそれぞれ左から当接することにより、打球位置２０に遊技球Ｗを保持する保持位置（図２に示す位置）に定位する。
【００３５】
次に、図１及び図２を参照して、発射レール１６について説明する。図２に示すように、発射レール１６はストップレバー１３と共働して打球位置２０に遊技球Ｗを保持するとともに、杵部材１８によって突かれた遊技球Ｗを発射方向にガイドするものである。発射レール１６は板状の金属部材を折り曲げて形成されたものであり、図１に示すように溝状に折り曲げられることによって遊技球Ｗをガイドするガイド溝１６Ａが形成されている。
【００３６】
次に、図２を参照して、ソレノイド１７について説明する。ソレノイド１７は杵部材１８を駆動するものであり、左斜め上を向く姿勢でベース板１１に取り付けられている。ソレノイド１７はボビンに巻き回されたコイル、ボビンの内側に挿通されている金属製の出力軸１７Ａ、出力軸１７Ａの外周に嵌合装着されているプランジャ、プランジャを図２に示すＢ方向（杵部材１８が遊技球Ｗを突く方向とは逆側の方向）に付勢するコイルばねなどを備えている。以降の説明では杵部材１８が遊技球Ｗを突く方向（図２に示すＡ方向）のことを球突き方向という。
【００３７】
本実施形態ではパチンコ機に設けられている制御部によってコイルへの通電が制御され、コイルに通電されると出力軸１７Ａがコイルばねの付勢力に抗して球突き方向に移動する。そして、コイルへの通電が停止されると出力軸１７Ａがコイルばねに付勢されて図２に示す元の位置（以下、初期位置という）に戻る。以降の説明ではコイルに通電することを単にソレノイド１７に通電するという。
【００３８】
次に、図５を参照して、杵部材１８について説明する。杵部材１８は遊技球Ｗを突く略円柱状の球突き部１８Ａと球突き部１８Ａの後側（球突き部１８Ａに対して球突き方向とは逆側）から球突き部１８Ａの径方向に環状に張り出しているフランジ部１８Ｂとを有している。本実施形態では球突き部１８Ａの高さは３ｍｍであるとする。
【００３９】
また、杵部材１８にはフランジ部１８Ｂの下面から上に向かって延びる有底の穴１８Ｃが形成されており、穴１８Ｃにソレノイド１７の出力軸１７Ａの先端部が圧入されることによって杵部材１８が出力軸１７Ａの先端部に被せられている。
より具体的には、杵部材１８の有底の穴１８Ｃの内周面には内側に環状に張り出す凸部１８Ｄが設けられており、一方、出力軸１７Ａの外周面にはその凸部に対応する位置に環状に凹む凹部１７Ｂが設けられている。そして、杵部材１８の凸部１８Ｄが出力軸１７Ａの凹部１７Ｂに嵌ることにより、杵部材１８が出力軸１７Ａから抜けてしまうことが防止されている。
【００４０】
ここで、本実施形態に係る杵部材１８は合成樹脂によって弾性変形可能に構成されており、出力軸１７Ａの先端部に被せられている杵部材１８を取り外して別の杵部材１８に交換することができる。このため、杵部材１８が変形したり磨耗したりした場合に杵部材１８を新しい杵部材１８に交換可能である。
【００４１】
（２）遊技球発射装置の作動
次に、図２、図６〜図８を参照して、遊技球発射装置１の作動を時系列で説明する。
先ず、図２を参照して、ソレノイド１７に通電されておらず、杵部材１８が初期位置に位置している状態について説明する。本実施形態では、杵部材１８が初期位置に位置しているとき、杵部材１８と打球位置２０に保持されている遊技球Ｗとの間隔は８ｍｍであるとする。
【００４２】
杵部材１８が初期位置に位置しているとき、ストップレバー１３は保持位置で定位している。ストップレバー１３が保持位置で定位しているとき、球保持部１３Ａが左側に向かって下に傾斜した姿勢となることにより、遊技球Ｗは左側が発射レール１６に当接し、発射レール１６と玉受け部（凹部１３Ｄ）とによって打球位置２０（図２に示す位置）に保持される。
【００４３】
また、ストップレバー１３が保持位置で定位しているとき、ストッパー１３Ｆの下端とレバー保持部１４の底壁部１４Ｂの左端との間隔は遊技球Ｗの直径より狭くなる。これにより、打球位置２０にある遊技球Ｗの次の遊技球Ｗはストッパー１３Ｆによって打球位置２０への移動が規制される。
【００４４】
また、ストップレバー１３が保持位置で定位しているとき、次々球ストッパー１３Ｂ（ストップレバー１３の前側の側壁部１３Ｂ）とレバー保持部１４の側壁部１４Ｃとの間隔も遊技球Ｗの直径より狭くなる。これにより、次々球Ｗがレバー保持部１４の底壁部１４Ｂ上に移動することが次々球ストッパー１３Ｂによって規制される。
【００４５】
次に、図６を参照して、ソレノイド１７に通電され、杵部材１８が遊技球Ｗに当接する位置まで移動した状態について説明する。本実施形態では杵部材１８が遊技球Ｗを突く時点でソレノイド１７への通電が停止される。杵部材１８はソレノイド１７への通電が停止されても直ぐには停止せず、慣性によって球突き方向（図６に示すＡ方向）に移動する。それにより遊技球Ｗが杵部材１８によって突かれ、図７に示すように遊技球発射装置１から発射される。
【００４６】
次に、図７を参照して、杵部材１８のフランジ部１８Ｂがストップレバー１３（より具体的には球保持部１３Ａ）に当接した状態について説明する。杵部材１８は遊技球Ｗを突いた後も更に球突き方向に移動し、遊技球Ｗが球突き部１８Ａから離れた状態でフランジ部１８Ｂがストップレバー１３に当接する。
【００４７】
杵部材１８はフランジ部１８Ｂがストップレバー１３に当接する位置から僅かに球突き方向に移動した位置が球突き方向における可動範囲の端とされている。ストップレバー１３は、杵部材１８のフランジ部１８Ｂがストップレバー１３に当接した後、球突き方向に僅かに移動するフランジ部１８Ｂに付勢されて図８に示すように右回りに回動（移動）する。
【００４８】
次に、図８を参照して、ストップレバー１３が右回りに回動した状態について説明する。ストップレバー１３が右回りに回動するとそれに伴ってストッパー１３Ｆも右回りに回動する。ストッパー１３Ｆが右回りに回動するとストッパー１３Ｆの下端とレバー保持部１４の底壁部１４Ｂの左端との間隔が遊技球Ｗの直径より広くなる。これによりストッパー１３Ｆによる規制が解除され、次の遊技球Ｗが一対の側壁部１３Ｂにガイドされてレバー保持部１４の底壁部１４Ｂから左側に転がり落ち、球保持部１３Ａの上に乗る。
【００４９】
すなわち、球突き部１８Ａによって遊技球Ｗが突かれた後にフランジ部１８Ｂが球保持部１３Ａを介して球送り部材（ストッパー１３Ｆなど）に間接的に当接し、球送り部材が移動して球保持部１３Ａに次の遊技球が送られる。
【００５０】
また、ストップレバー１３が右回りに回動すると次々球ストッパー１３Ｂ（ストップレバー１３の前側の側壁部１３Ｂ）とレバー保持部１４の側壁部１４Ｃとの間隔も遊技球Ｗの直径より広くなり、次々球Ｗがレバー保持部１４の底壁部１４Ｂの上に移動する。
【００５１】
ここで、図８では球保持部１３Ａがレバー保持部１４の底壁部１４Ｂに当接していない状態を示しているが、ストップレバー１３は右回りに所定角度回動すると球保持部１３Ａがレバー保持部１４の底壁部１４Ｂに当接し、それ以上の右側への回動が規制される。レバー保持部１４の底壁部１４Ｂは規制部の一例である。
【００５２】
次の遊技球Ｗが球保持部１３Ａの上に乗ると、ストップレバー１３は自身の重さと遊技球Ｗの重さとによって左回りに回動し、図２に示す保持位置に戻る。図２に示すように、ストップレバー１３が保持位置に戻ると球保持部１３Ａが再び左側に向かって下に傾斜する姿勢となり、球保持部１３Ａの上に乗った遊技球Ｗが一対の側壁部１３Ｂにガイドされて左側に転がり、玉受け部（凹部１３Ｄ）に嵌る。
【００５３】
（３）実施形態の効果
以上説明した本実施形態に係る遊技球発射装置１によると、フランジ部１８Ｂが球送り部材（ストッパー１３Ｆなど）に間接的に当接するのは球突き動作（打球位置２０にある遊技球Ｗを突く動作）が行われた後であるので、球送り動作（次の遊技球Ｗを球保持部１３Ａに送る動作）が球突き動作に影響してしまうことを抑制できる。よって遊技球発射装置１によると、精度よく遊技球Ｗを突くことができる。
【００５４】
更に、遊技球発射装置１によると、球送り部材（ストッパー１３Ｆなど）が球保持部１３Ａに一体に設けられているので、球保持部１３Ａと球送り部材とが独立している場合に比べて部品点数を少なくすることができる。これにより遊技球発射装置１の構成を簡素にすることができる。
ところで、通常、遊技球発射装置１は遊技球Ｗを発射する時間間隔が決まっているので、回動した球保持部１３Ａが早く保持位置に復帰しないと次の遊技球Ｗの発射に間に合わない虞がある。遊技球発射装置１によると、球保持部１３Ａが回動した状態で次の遊技球Ｗが球保持部１３Ａに送られるので、球保持部１３Ａ自身の重さ（より具体的にはストップレバー１３の重さ）と遊技球Ｗの重さとによって球保持部１３Ａを素早く保持位置に復帰させることができる。
【００５５】
また、球保持部１３Ａが回動した状態で球保持部１３Ａに次の遊技球Ｗが送られると、球送り動作が安定し易くなる。具体的には、仮に球保持部１３Ａが保持位置にある状態で次の遊技球Ｗが送られるとすると、球保持部１３Ａが回動した状態で次の遊技球Ｗが送られる場合に比べて遊技球Ｗの落差が大きくなるため、遊技球Ｗが球保持部１３Ａの上で弾んでしまったり、あるいは遊技球Ｗが落下した勢いで球保持部１３Ａがバタついてしまったりすることにより、球送り動作が不安定になる虞がある。これに対し、球保持部１３Ａが回動した状態で球保持部１３Ａに次の遊技球Ｗが送られると遊技球Ｗの落差が小さくなるので、遊技球Ｗが弾んでしまったり球保持部１３Ａがバタついてしまったりし難くなり、球送り動作が安定し易くなる。
【００５６】
更に、遊技球発射装置１によると、球保持部１３Ａが保持位置から所定角度回動するとレバー保持部１４の底壁部１４Ｂ（規制部）に当接してそれ以上の回動が規制される。球保持部１３Ａが回動する角度が大きいと保持位置への復帰が遅れて次の遊技球Ｗの発射に間に合わなかったり、回動する角度が大きいことで衝撃が大きくなって摩耗や破損したりする虞がある。遊技球発射装置１によると、レバー保持部１４の底壁部１４Ｂによって球保持部１３Ａの回動を規制するので、そのような問題が生じることを抑制できる。
【００５７】
更に、遊技球発射装置１によると、杵部材１８が遊技球Ｗを突く時点でソレノイド１７への通電を停止させるので、杵部材１８は遊技球Ｗを突く時点で移動速度が最高速となり、その後は慣性力によって移動する。このため速度が低下した状態でフランジ部１８Ｂが球保持部１３Ａに当接する。これによりフランジ部１８Ｂが球保持部１３Ａに当接するときの衝撃が和らぎ、杵部材１８が繰り返し当接することによる杵部材１８の摩耗や杵部材１８が当接する部材（本実施形態では球保持部１３Ａ）の破損などを遅らせることができる。
【００５８】
更に、遊技球発射装置１によると、球送り部材（ストッパー１３Ｆなど）には次の遊技球Ｗが球保持部１３Ａに送られることを規制するストッパー１３Ｆが設けられており、球送り部材を移動させることによって球保持部１３Ａに次の遊技球Ｗを送ることができる。
【００５９】
更に、遊技球発射装置１によると、一対の側壁部１３Ｂによって次の遊技球Ｗをガイドすることにより、次の遊技球Ｗを横ずれすることなく確実に球保持部１３Ａに送ることができる。
【００６０】
更に、遊技球発射装置１によると、杵部材１８はソレノイド１７の出力軸１７Ａの先端部に被せられた樹脂製の部材であるので、遊技球Ｗを突いた際の衝撃が少なくなり、遊技者の手への衝撃緩和になる。また、フランジ部１８Ｂの加工が容易である。
【００６１】
更に、遊技球発射装置１によると、杵部材１８はソレノイド１７の出力軸１７Ａの先端部に交換可能に被せられている。杵部材１８は樹脂製であるので球突き部１８Ａやフランジ部１８Ｂが変形あるいは摩耗し、それにより球突きや球送りの精度が低下することが懸念されるが、交換可能とすることでそのような問題を解消できる。
【００６２】
＜他の実施形態＞
本明細書によって開示される技術は上記記述及び図面によって説明した実施形態に限定されるものではなく、例えば次のような実施形態も本明細書によって開示される技術的範囲に含まれる。
【００６３】
（１）上記実施形態では球送り部材（ストッパー１３Ｆなど）が移動する例として回転移動を例に説明したが、球送り部材の移動形態は回転移動に限られるものではない。例えば、球送り部材は上下方向に平行移動してもよい。
【００６４】
（２）上記実施形態では杵部材１８が球突き方向に移動するときにフランジ部１８Ｂが球保持部１３Ａに当接して次の遊技球が送られる場合（すなわち往路で球保持部１３Ａに当接する場合）を例に説明した。これに対し、杵部材１８が球突き方向とは逆側に移動するときにフランジ部１８Ｂが球保持部１３Ａに当接して次の遊技球が送られる構成（すなわち復路で球保持部１３Ａに当接する構成）であってもよい。
【００６５】
（３）上記実施形態では杵部材１８が交換可能に被せられている場合を例に説明したが、杵部材１８は交換不能に被せられていてもよい。また、上記実施形態では杵部材１８が樹脂製である場合を例に説明したが、杵部材１８は金属製であってもよい。例えば、杵部材１８はソレノイド１７の金属製の出力軸１７Ａに一体に形成されていてもよい。
【００６６】
（４）上記実施形態では球保持部１３Ａが自身の重さ（より具体的にはストップレバー１３の重さ）と遊技球Ｗの重さとによって保持位置に戻る場合を例に説明したが、バネなどに付勢されて保持位置に戻る構成であってもよい。
【００６７】
（５）上記実施形態では球保持部１３Ａがレバー保持部１４の底壁部１４Ｂ（規制部）に当接してそれ以上の回動が規制される場合を例に説明したが、遊技球発射装置１に別の規制部を設け、球送り部材（ストッパー１３Ｆなど）がその規制部に当接して球保持部１３Ａの回動が規制される構成であってもよい。
【００６８】
（６）上記実施形態では球保持部１３Ａと球送り部材（ストッパー１３Ｆなど）とが一体化している場合を例に説明したが、球保持部１３Ａと球送り部材とは別部材として構成されてもよい。そして、球保持部１３Ａを移動不能に設ける一方、球送り部材を移動可能に設け、フランジ部１８Ｂが球送り部材に直接的に当接して球送り部材が移動する構成であってもよい。
【符号の説明】
【００６９】
１・・・遊技球発射装置、１３Ａ・・・球保持部（球保持部材）、１３Ｂ・・・側壁部（球送り部材）、１３Ｃ・・・上壁部（球送り部材）、１３Ｆ・・・ストッパー（球送り部材）、１４Ｂ・・・底壁部（規制部）、１７・・・ソレノイド、１７Ａ・・・出力軸、１８・・・杵部材、１８Ａ・・・球突き部、１８Ｂ・・・フランジ部、２０・・・打球位置、Ｗ・・・遊技球
【図１】
2017029354.tif 000003
【図２】
2017029354.tif 000004
【図３】
2017029354.tif 000005
【図４】
2017029354.tif 000006
【図５】
2017029354.tif 000007
【図６】
2017029354.tif 000008
【図７】
2017029354.tif 000009
【図８】
2017029354.tif 000010